(57)【要約】【課題】主電源が遮断された場合に電荷蓄積手段から供給される電力により駆動される被印加デバイスの動作期間を、装置の配置スペースを増大させることなく長くする。【解決手段】電子機器１１の主電源１２は、第１及び第２の配線３０，３４を介して、それぞれＣＰＵ１４等及びコンデンサ１８と接続される。コンデンサ１８は昇圧回路２５及び安定化電源回路２７を介して第１の配線３０に接続される。電圧検出回路２８は、第１の配線３０における電圧値Ｖｃを検出し、電圧値Ｖｃに基づいて第１及び第２の配線３０，３４の第１及び第２のスイッチ３１，３６にオフ信号を出力する。また、第３の配線３８の第３のスイッチ４１にオン信号を出力する。この結果、コンデンサ１８から放電が開始され、昇圧回路２５及び安定化電源回路２７を介して出力電圧が第１の閾値Ｖｂと等しくなるように昇圧及び安定化された電力が、ＣＰＵ１４等に供給される。【選択図】      図１
2005011186.tif 000002
【特許請求の範囲】
【請求項１】
主電源と被印加デバイスとを接続する第１の配線上に設けた第１のスイッチと、前記主電源と電荷蓄積手段とを接続する第２の配線上に設けた第２のスイッチと、前記電荷蓄積手段と前記被印加デバイスとを接続する第３の配線上に設けた第３のスイッチとを備えた電子回路において、
前記第１のスイッチと前記第２のスイッチと前記第３のスイッチとをそれぞれ個別に接続状態及び非接続状態とするための判定値として、前記第１のスイッチと前記被印加デバイスとの間における前記第１の配線の電圧値を検出する電圧検出手段と、
前記第３のスイッチと前記被印加デバイスとの間に設けられ、前記電荷蓄積手段から前記被印加デバイスへの出力電圧を昇圧させる昇圧回路と
を備えたことを特徴とする電子回路。
【請求項２】
請求項１に記載の電子回路において、
前記電圧検出手段は、
前記電圧値に基づいて、前記第１のスイッチと前記第２のスイッチと前記第３のスイッチとに対して、それぞれ個別に接続状態及び非接続状態となるような指示信号を出力する信号出力手段を備えたことを特徴とする電子回路。
【請求項３】
請求項２に記載の電子回路において、
前記信号出力手段は、
前記電圧値が閾値を上回っている場合には、前記第１のスイッチ及び前記第２のスイッチが接続状態となるとともに前記第３のスイッチが非接続状態となるような第１の指示信号を出力し、前記電圧値が前記閾値以下である場合には、前記第１のスイッチ及び前記第２のスイッチが非接続状態となるとともに前記第３のスイッチが接続状態となるような第２の指示信号を出力することを特徴とする電子回路。
【請求項４】
請求項３に記載の電子回路において、
前記信号出力手段から出力される前記第２の指示信号を入力し、前記第１のスイッチと前記第２のスイッチと前記第３のスイッチとに対して、前記第１のスイッチ及び前記第２のスイッチが非接続状態となった後に、前記第３のスイッチが接続状態となるような第３の指示信号を出力するタイミング調整回路を備えたことを特徴とする電子回路。
【請求項５】
主電源と、被印加デバイスと、電荷蓄積手段と、前記主電源と前記被印加デバイスとを接続する第１の配線上に設けた第１のスイッチと、前記主電源と前記電荷蓄積手段とを接続する第２の配線上に設けた第２のスイッチと、前記電荷蓄積手段と前記被印加デバイスとを接続する第３の配線上に設けた第３のスイッチとを備えた電子機器において、
前記第１のスイッチと前記被印加デバイスとの間における前記第１の配線の電圧値を検出する電圧検出手段と、
前記電圧値に基づいて、前記第１のスイッチと前記第２のスイッチと前記第３のスイッチとをそれぞれ個別に接続状態及び非接続状態となるような指示信号を出力する信号出力手段と、
前記第３のスイッチと前記被印加デバイスとの間に設けられ、前記電荷蓄積手段から前記被印加デバイスへの出力電圧を昇圧させる昇圧回路と
を備えたことを特徴とする電子機器。
【請求項６】
請求項５に記載の電子機器において、
前記被印加デバイスは、制御装置と記憶装置と表示装置であることを特徴とする電子機器。
【請求項７】
請求項６に記載の電子機器において、
前記電圧検出手段は、前記電圧値が前記閾値以下である場合には、前記制御装置に対して第４の指示信号を出力する手段であり、
前記記憶装置は、警告表示用画像データを記憶する装置であり、
前記制御装置は、前記第４の指示信号を入力すると、前記警告表示用画像データに基づいて、前記表示装置に警告表示画像を表示する装置であることを特徴とする電子機器。
【発明の詳細な説明】
【０００１】
【発明の属する技術分野】
本発明は、電子回路及び電子機器に関する。
【０００２】
【従来の技術】
従来から、ＣＰＵとメモリとを備えた電子機器が知られているが、このような電子機器の中には、例えば、携帯電話機のように、メモリに記憶されているデータを更新可能なものが知られている。そして、このような電子機器は、メモリにおけるデータの更新中に、主電源からの電力供給が遮断されると、更新中のデータや、メモリに記憶されているデータが破壊されることがあった。
【０００３】
そこで、このような問題を解決するために、電圧保持回路を備えた電子機器が知られていた（例えば、特許文献１参照）。詳しくは、この電圧保持回路は、コンデンサ等の電荷蓄積手段を備え、主電源からの電力供給が行われている間、電荷蓄積手段に対して充電を行うようになっていた。そして、主電源からの出力電圧が所定の値まで低下すると、主電源からの電力供給の遮断が発生すると判断して、電荷蓄積手段から放電を行うようになっていた。この結果、ある一定期間、電荷蓄積手段からＣＰＵ等に対して電力が供給されるようになり、メモリにおけるデータの更新中に、主電源の電源遮断が生じても、データの破壊が防がれるようになっていた。
【０００４】
【特許文献１】
特開平５−３４２１１５号公報（第２−４頁、第２図）
【０００５】
【発明が解決しようとする課題】
ところで、上記従来の電圧保持回路においては、電荷蓄積手段における電位は、各装置への放電が開始されると、単調に降下するようになっていた。従って、電荷蓄積手段に、電荷が残存しているにもかかわらず、電荷蓄積手段における電位が低いために、これ以上ＣＰＵやメモリを動作させることができなくなることがあった。そして、主電源の電源遮断後における各装置の動作期間が短くなることがあった。
【０００６】
また、近年、上記のような電子機器においては、主電源の電源が遮断されたときに、ＣＰＵとメモリだけではなく、表示装置等の他の装置に対しても電源を供給する必要のあるものがあった。すなわち、近年においては、電荷蓄積手段から放電される電力の必要量が増加する傾向にあり、上記の動作期間はますます短くなる可能性があった。
【０００７】
そこで、電荷蓄積手段の容量を増大させることで、ＣＰＵ等の被印加デバイスの動作期間を延長することが考えられていた。しかし、電荷蓄積手段の容量を増大させると、電荷蓄積手段の配置スペースが増大し、電子機器の小型化を阻害する原因となるおそれがあった。
【０００８】
本発明は、上記問題点を解決するためになされたものであって、その目的は、配置スペースを増大させることなく、主電源が遮断された場合に電荷蓄積手段から供給される電力によって駆動される被印加デバイスの動作期間を長くすることのできる電子回路及び電子機器を提供することにある。
【０００９】
【課題を解決するための手段】
本発明は、主電源と被印加デバイスとを接続する第１の配線上に設けた第１のスイッチと、前記主電源と電荷蓄積手段とを接続する第２の配線上に設けた第２のスイッチと、前記電荷蓄積手段と前記被印加デバイスとを接続する第３の配線上に設けた第３のスイッチとを備えた電子回路において、前記第１のスイッチと前記第２のスイッチと前記第３のスイッチとをそれぞれ個別に接続状態及び非接続状態とするための判定値として、前記第１のスイッチと前記被印加デバイスとの間における前記第１の配線の電圧値を検出する電圧検出手段と、前記第３のスイッチと前記被印加デバイスとの間に設けられ、前記電荷蓄積手段から前記被印加デバイスへの出力電圧を昇圧させる昇圧回路とを備えた。
【００１０】
従って、本発明によれば、電圧検出手段において検出される電圧値に基づいて、第１のスイッチと第２のスイッチと第３のスイッチとを接続及び非接続状態とするようにした。この結果、例えば、電圧検出手段において検出される電圧値が低く、主電源からの電力供給が遮断するおそれのあるような場合には、電荷蓄積手段において蓄積された電荷によって、被印加デバイスへの電力供給を行うことができるようになる。そしてこのとき、電荷蓄積手段から被印加デバイスへの出力電圧は、昇圧回路によって昇圧されるので、昇圧回路がない場合に比較して、長時間高い電圧で、被印加デバイスへと電力を供給することができる。
【００１１】
従って、例えば、主電源からの電力供給が遮断されることにより電荷蓄積手段から被印加デバイスへと電力供給を行うようなときに、被印加デバイスを、昇圧回路がない場合に比較して長く駆動させることができるようになる。また、被印加デバイスの駆動時間を延長させるために、電荷蓄積手段の容量を増大させる必要がないので、配置スペースの増大を防ぐことができる。
【００１２】
この電子回路において、前記電圧検出手段は、前記電圧値に基づいて、前記第１のスイッチと前記第２のスイッチと前記第３のスイッチとに対して、それぞれ個別に接続状態及び非接続状態となるような指示信号を出力する信号出力手段を備えた。
【００１３】
これによれば、電圧検出手段が、信号出力手段を兼ねることができ、電子回路の構成を簡素化させることができる。
この電子回路において、前記信号出力手段は、前記電圧値が閾値を上回っている場合には、前記第１のスイッチ及び前記第２のスイッチが接続状態となるとともに前記第３のスイッチが非接続状態となるような第１の指示信号を出力し、前記電圧値が前記閾値以下である場合には、前記第１のスイッチ及び前記第２のスイッチが非接続状態となるとともに前記第３のスイッチが接続状態となるような第２の指示信号を出力する。
【００１４】
これによれば、電圧検出手段において検出される電圧値が閾値を上回るときには、主電源から被印加デバイス、及び主電源から電荷蓄積手段へと電力が供給される。この結果、電圧値が閾値を上回るときには、被印加デバイスは、主電源からの電力により駆動されるとともに、電荷蓄積手段には電荷が蓄積される。
【００１５】
また、電圧検出手段において検出される電圧値が閾値以下である場合には、主電源から被印加デバイス及び電荷蓄積手段への電力供給が遮断され、電荷蓄積手段から被印加デバイスへと電力が供給される。
【００１６】
すなわち、閾値の値を、主電源の出力電圧の遮断のおそれがあるか否かを判別できるような値とすることにより、主電源の遮断のおそれのない場合には、主電源から被印加デバイスへと電力を供給し、主電源の遮断のおそれがある場合には、電荷蓄積手段から被印加デバイスに対してしばらくの間電力を供給するように変化させることができる。従って、主電源からの電力供給が遮断されることにより電荷蓄積手段から被印加デバイスへと電力供給を行うようなときに、被印加デバイスを、昇圧回路がない場合に比較して長く駆動させることができるようになる。
【００１７】
この電子回路において、前記信号出力手段から出力される前記第２の指示信号を入力し、前記第１のスイッチと前記第２のスイッチと前記第３のスイッチとに対して、前記第１のスイッチ及び前記第２のスイッチが非接続状態となった後に、前記第３のスイッチが接続状態となるような第３の指示信号を出力するタイミング調整回路を備えた。
【００１８】
これによれば、信号出力手段から第２の指示信号が出力された場合には、タイミング調整回路により、第１のスイッチ及び第２のスイッチが非接続状態となってから、第３のスイッチが接続状態となる。この結果、電荷蓄積手段から被印加デバイスへの電力供給は、必ず、主電源と被印加デバイス及び電荷蓄積手段との間の接続が遮断してから行われるようになる。従って、例えば、第１のスイッチ及び第２のスイッチが接続状態となっている間に第３のスイッチが接続状態となることにより、電荷蓄積手段から主電源へと逆流電流が生じたり、電荷蓄積手段から被印加デバイスに対して昇圧手段を介さずに直接電力が供給されたりすることを防ぐことができる。
【００１９】
本発明は、主電源と、被印加デバイスと、電荷蓄積手段と、前記主電源と前記被印加デバイスとを接続する第１の配線上に設けた第１のスイッチと、前記主電源と前記電荷蓄積手段とを接続する第２の配線上に設けた第２のスイッチと、前記電荷蓄積手段と前記被印加デバイスとを接続する第３の配線上に設けた第３のスイッチとを備えた電子機器において、前記第１のスイッチと前記被印加デバイスとの間における前記第１の配線の電圧値を検出する電圧検出手段と、前記電圧値に基づいて、前記第１のスイッチと前記第２のスイッチと前記第３のスイッチとをそれぞれ個別に接続状態及び非接続状態となるような指示信号を出力する信号出力手段と、前記第３のスイッチと前記被印加デバイスとの間に設けられ、前記電荷蓄積手段から前記被印加デバイスへの出力電圧を昇圧させる昇圧回路とを備えた。
【００２０】
従って、本発明によれば、電圧検出手段において検出される電圧値に基づいて、信号出力手段によって第１のスイッチと第２のスイッチと第３のスイッチとを接続及び非接続状態とするようにした。この結果、主電源から被印加デバイス及び電荷蓄積手段、電荷蓄積手段から被印加デバイスへのそれぞれの電力の供給及び非供給を、電圧値に基づいて変化させることができる。
【００２１】
従って、例えば、電圧検出手段において検出される電圧値が低く、主電源からの電力供給が遮断するおそれのあるような場合には、電荷蓄積手段において蓄積された電荷によって、被印加デバイスへの電力供給を行うことができるようになる。この結果、主電源に何らかの問題が生じて、主電源から供給される電力が思いがけず遮断されても、しばらくの間、被印加デバイスへと電力供給を行うことができ、電力供給の突然の遮断により、被印加デバイスにおいて損傷等が生じることを防ぐことができる。
【００２２】
そして、電荷蓄積手段から被印加デバイスへの出力電圧は、昇圧回路によって昇圧されるので、昇圧回路がない場合に比較して、長時間高い電圧で、被印加デバイスへと電力を供給することができる。この結果、例えば、主電源からの電力供給が遮断されたような場合に、電荷蓄積手段から被印加デバイスへと電力供給を行うことによって、被印加デバイスを、昇圧回路がない場合に比較して長く駆動させることができる。なお、被印加デバイスの駆動時間を延長させるために、電荷蓄積手段の容量を増大させる必要がないので、配置スペースの増大を防ぐことができる。
【００２３】
この電子機器において、前記被印加デバイスは、制御装置と記憶装置と表示装置である。
これによれば、例えば、制御装置が記憶装置に記憶されているデータ等の更新作業を行っているときに、主電源からの電力供給の遮断が生じても、制御装置や記憶装置、表示装置に対して、しばらくの間、電荷蓄積手段から電力供給を行うことができる。従って、データ等の更新作業中に、主電源において思いがけない問題が生じて、主電源からの電力供給の遮断が生じても、電荷蓄積手段からの電力供給によって、データ等の更新が中断されないようにすることができる。この結果、主電源からの電力供給の遮断による、記憶装置におけるデータ等の破壊を防ぐことができる。
【００２４】
さらに、電荷蓄積手段から制御装置、記憶装置、表示装置に対しての出力電圧は、昇圧回路にて昇圧されているので、制御装置、記憶装置、表示装置に対して、高い電位で電力を供給することができる。従って、制御装置、記憶装置、表示装置を備えた電子機器を、昇圧回路がない場合に比較して長く駆動させることができる。
【００２５】
なお、制御装置、記憶装置、表示装置の駆動時間を延長させるために、電荷蓄積手段の容量を増大させる必要がないので、配置スペースの増大を防ぐことができる。
【００２６】
この電子機器において、前記電圧検出手段は、前記電圧値が前記閾値以下である場合には、前記制御装置に対して第４の指示信号を出力する手段であり、前記記憶装置は、警告表示用画像データを記憶する装置であり、前記制御装置は、前記第４の指示信号を入力すると、前記警告表示用画像データに基づいて、前記表示装置に警告表示画像を表示する装置である。
【００２７】
これによれば、電圧値が閾値以下となると、電圧検出手段から制御装置に対して第４の指示信号が出力され、制御装置は、第４の指示信号に基づいて、記憶装置の警告表示用画像データに基づく警告表示画像を表示装置に表示させる。従って、電子機器において、電圧値が閾値以下となり、電荷蓄積手段から被印加デバイスに対して放電が行われると、表示装置上に、警告表示画像が表示される。この結果、電子機器を使用するユーザーが、表示装置を見ることによって、電荷蓄積手段から被印加デバイスに対して放電が行われているか否かを理解することができる。そして、主電源からの電源供給に遮断が生じているか否かを理解することができる。
【００２８】
【発明の実施の形態】
（第１の実施形態）
以下、本発明を具体化した一実施形態を図１及び図２に従って説明する。
【００２９】
図１は、本実施形態における電子機器の電気的構成図である。図１に示すように、電子機器１１は、主電源１２、制御装置としてのＣＰＵ１４、ＲＯＭ１５、記憶装置としてのメモリ１６、表示装置１７、電荷蓄積手段としてのコンデンサ１８、昇圧回路２５、安定化電源回路２７、電圧検出手段としての電圧検出回路２８を備える。そして、本実施形態においては、ＣＰＵ１４、ＲＯＭ１５、メモリ１６，表示装置１７によって、被印加デバイスが構成されている。
【００３０】
主電源１２には、第１の配線３０の一端が電気的に接続されており、この第１の配線３０には、ＣＰＵ１４、ＲＯＭ１５、メモリ１６、表示装置１７が電気的に接続されている。そして、第１の配線３０上の、主電源１２とＣＰＵ１４、ＲＯＭ１５、メモリ１６、表示装置１７との間には、第１のスイッチ３１が設けられている。従って、第１のスイッチ３１がオン状態となっている場合には、これらＣＰＵ１４、ＲＯＭ１５、メモリ１６、表示装置１７に対して主電源１２から電力が供給され、第１のスイッチ３１がオフ状態となっている場合には、電力が供給されないようになっている。
【００３１】
ＣＰＵ１４、ＲＯＭ１５、メモリ１６及び表示装置１７は、バス３２を介して、お互いに接続されている。そして、ＣＰＵ１４は、ＲＯＭ１５に記憶されている各種プログラムに従って動作し、バス３２を介して前記メモリ１６や表示装置１７を制御する。また、ＣＰＵ１４は、後述する電圧検出回路２８に対して各種信号を受信可能に接続されている。
【００３２】
メモリ１６は、ＥＥＰＲＯＭ等のデータ更新可能な記憶装置となっており、本実施形態においては、画像データ及び警告表示用画像データが記憶されている。画像データは、写真や絵といった画像を表示するためのデータとなっており、電子機器１１において、図示しない受信手段や撮像手段等を介して取得されると、ＣＰＵ１４によって、適宜追加及び更新されるデータである。また、警告表示用画像データは、「ＬＯＷ  ＢＡＴＴＥＲＹ」という警告表示画像を前記表示装置１７に表示するためのデータとなっており、電子機器１１の製造時等に、予め記憶されるデータとなっている。
【００３３】
表示装置１７は、液晶ディスプレイ（ＬＣＤ）等によって構成されている。そして、ＣＰＵ１４が前記メモリ１６に記憶されている画像データに基づいて、この表示装置１７に対して信号を出力することにより、表示装置１７には、写真や絵といった画像が表示される。さらに、ＣＰＵ１４が、メモリ１６に記憶されている警告表示用画像データに基づいて、この表示装置１７に対して信号を出力することにより、表示装置１７には、「ＬＯＷ  ＢＡＴＴＥＲＹ」という表示が行われる。
【００３４】
なお、前記ＲＯＭ１５に記憶されている各種プログラムとしては、データ更新プログラム、画像データ表示プログラム、警告プログラムがある。データ更新プログラムは、本実施形態においては、ＣＰＵ１４が、前記メモリ１６に記憶されている画像データを追加・更新するためのプログラムである。すなわち、ＣＰＵ１４は、図示しない受信手段や撮像手段等を介して、新たな画像データを取得すると、このデータ更新プログラムに従って、メモリ１６に、取得した画像データを追加させたり、記憶されている画像データを新たな画像データに更新したりする。
【００３５】
また、画像データ表示プログラムは、ＣＰＵ１４が、電子機器１１の、図示しない入力手段等を介して、画像データの表示要求信号を受信すると、メモリ１６に記憶されている画像データに基づいて、表示装置１７上に写真や絵といった画像を表示するためのプログラムである。すなわち、ＣＰＵ１４は、入力手段等を介して画像データの表示要求信号を受信すると、画像データ表示プログラムに従って、メモリ１６に記憶されている画像データに基づいて、表示装置１７上に写真や絵といった画像を表示させる。
【００３６】
警告プログラムは、ＣＰＵ１４が、電圧検出回路２８から第４の指示信号としての第１の電圧低下信号を受信すると、表示装置１７に対して前記メモリ１６に記憶されている警告表示用画像データに基づいて、「ＬＯＷ  ＢＡＴＴＥＲＹ」という表示を行うためのプログラムである。また、警告プログラムは、ＣＰＵ１４が、電圧検出回路２８から電圧非低下信号を受信すると、表示装置１７における、「ＬＯＷ  ＢＡＴＴＥＲＹ」という表示を非表示とするためのプログラムでもある。
【００３７】
さらに、警告プログラムは、ＣＰＵ１４が、電圧検出回路２８から第２の電圧低下信号を受信すると、前記表示装置１７を非点灯とするためのプログラムである。なお、非点灯とは、本実施形態においては、表示装置１７上に、前記画像データや、警告表示用画像データに基づく表示が行われていない状態のことをいうものとする。
【００３８】
すなわち、ＣＰＵ１４は、電圧検出回路２８から、第１の電圧低下信号を入力すると、警告プログラムに従って、表示装置１７に、「ＬＯＷ  ＢＡＴＴＥＲＹ」という表示を行う。また、ＣＰＵ１４は、電圧検出回路２８から、電圧非低下信号を入力すると、警告プログラムに従って、表示装置１７における「ＬＯＷ  ＢＡＴＴＥＲＹ」という表示を非表示とする。さらに、ＣＰＵ１４は、電圧検出回路２８から第２の電圧低下信号を入力すると、警告プログラムに従って、表示装置１７を非点灯とする。
【００３９】
コンデンサ１８は、第２の配線３４上に設けられている。なお、第２の配線３４は、その一端が、前記第１の配線３０の、前記主電源１２と前記第１のスイッチ３１との間の部分に対して接続されており、他端が接地されている。
【００４０】
また、第２の配線３４の、主電源１２とコンデンサ１８との間には、第２のスイッチ３６が設けられている。従って、第２のスイッチ３６がオン状態となっている場合には、コンデンサ１８に対して主電源１２から電力が供給され、電荷が蓄積されるようになっている。また、第２のスイッチ３６がオフ状態となっている場合には、主電源１２からコンデンサ１８に対して電力が供給されない。
【００４１】
昇圧回路２５は、入力電圧を所定の電圧値まで昇圧させるための回路となっており、例えば、チャージポンプ回路といった回路となっている。そして、昇圧回路２５は、第３の配線３８を介して、前記第２の配線３４の、第２のスイッチ３６とコンデンサ１８との間の部分に対して接続されている。また、昇圧回路２５は、安定化電源回路２７を介して前記第１の配線３０に接続されている。
【００４２】
第３の配線３８には、第３のスイッチ４１が設けられている。そして、昇圧回路２５は、前記第１のスイッチ３１、前記第２のスイッチ３６がいずれもオフ状態となり、かつ、第３のスイッチ４１がオン状態となっている場合には、前記コンデンサ１８に対して電気的に接続され、コンデンサ１８から電力が供給されるようになっている。そして、コンデンサ１８からの出力電圧を昇圧させて、安定化電源回路２７に出力するようになっている。
【００４３】
また、昇圧回路２５は、第３のスイッチ４１がオフ状態となっている場合には、前記第１のスイッチ３１及び前記第２のスイッチ３６のオンオフにかかわらず、電力が供給されないようになっている。
【００４４】
安定化電源回路２７は、例えば、三端子レギュレータであって、昇圧回路２５から供給される昇圧された出力電圧を平滑化して、前記第１の配線３０側に出力する。なお、本実施形態では、前記昇圧回路２５は、安定化電源回路２７からの出力電圧が、後述する閾値としての第１の閾値Ｖｂとなるように、電圧を上昇させる機能を有するものとする。従って、本実施形態においては、昇圧回路２５からの出力された出力電圧は、安定化電源回路２７にてその電位が第１の閾値Ｖｂとなるように平滑化され、第１の配線３０を介して前記ＣＰＵ１４、ＲＯＭ１５、メモリ１６、表示装置１７に供給される。
【００４５】
電圧検出回路２８は、前記第１の配線３０の前記ＣＰＵ１４側に電気的に接続され、第１の配線３０における判定値としての電圧値Ｖｃを所定時間毎に検出するようになっている。そして、電圧検出回路２８は、信号出力手段を備え、前記第１〜第３のスイッチ３１，３６，４１に対して、個別にオンオフ信号を出力することにより、各スイッチ３１，３６，４１をオン状態あるいはオフ状態に切り換えることが可能となっている。また、電圧検出回路２８は、前記ＣＰＵ１４に対して、前記第１の電圧低下信号、第２の電圧低下信号、電圧非低下信号を出力するようになっている。
【００４６】
すなわち、電圧検出回路２８は、第１の配線３０における電圧値Ｖｃを検出し、その電圧値Ｖｃの値を、第１の閾値Ｖｂ及び第２の閾値Ｖｔｈと比較し、その比較結果に基づいて、前記第１〜第３のスイッチ３１，３６，４１やＣＰＵ１４に対してそれぞれ個別に各種信号を出力するようになっている。
【００４７】
詳しくは、第１の閾値Ｖｂは、第２の閾値Ｖｔｈよりも大きな値となっており、電圧値Ｖｃが、この第１の閾値Ｖｂの値以下となったときに、主電源１２において、主電源１２からの電力供給が遮断されるような問題が発生していると判別するための値となっている。なお、主電源１２からの電力供給が遮断されるような問題としては、例えば、主電源１２の電池残量不足や、思いがけない電池の取り外しなどがある。
【００４８】
また、第２の閾値Ｖｔｈは、電圧値Ｖｃが、この第２の閾値Ｖｔｈの値を下回ったときに、前記第１の配線３０を介して前記ＣＰＵ１４等に供給される出力電圧が、ＣＰＵ１４等を駆動させるために充分な電位であるか否かを判別するための値となっている。
【００４９】
すなわち、電圧検出回路２８は、電圧値Ｖｃが、第１の閾値Ｖｂを上回っている、すなわち、主電源１２からの電力供給が順調であると判別すると、第１及び第２のスイッチ３１，３６に対してオン信号を出力するとともに、第３のスイッチ４１に対してオフ信号を出力する。なお、このオン信号及びオフ信号は、第１の指示信号を構成する。この結果、ＣＰＵ１４等に対して、主電源１２から電力が供給され、ＣＰＵ１４等が主電源１２によって駆動されるようになるとともに、主電源１２からコンデンサ１８に対して電力が供給され、コンデンサ１８に電荷が蓄積される。
【００５０】
また、電圧検出回路２８は、電圧値Ｖｃが、第１の閾値Ｖｂを上回っていると判別すると、ＣＰＵ１４に対して前記電圧非低下信号を出力する。この結果、ＣＰＵ１４は、電圧非低下信号の入力に基づいて、前記警告プログラムに従って、表示装置１７上に、「ＬＯＷ  ＢＡＴＴＥＲＹ」という表示が非表示となるように制御する。
【００５１】
一方、電圧検出回路２８は、電圧値Ｖｃが、第１の閾値Ｖｂ以下であるとともに、前記第２の閾値Ｖｔｈ以上であると判別すると、第１及び第２のスイッチ３１，３６に対してオフ信号を出力するとともに、第３のスイッチ４１に対してオン信号を出力する。なお、このオフ信号及びオン信号は、第２の指示信号を構成する。この結果、ＣＰＵ１４等に対して、主電源１２から供給される電力が遮断されるとともに、主電源１２からコンデンサ１８への電力供給も遮断される。そして、コンデンサ１８から放電が開始され、昇圧回路２５及び安定化電源回路２７を介してＣＰＵ１４等に対して電力が供給されるようになる。
【００５２】
さらに、電圧検出回路２８は、電圧値Ｖｃが、第１の閾値Ｖｂ以下であるとともに、第２の閾値Ｖｔｈ以上であると判別すると、ＣＰＵ１４に対して前記第１の電圧低下信号を出力する。この結果、ＣＰＵ１４は、第１の電圧低下信号の入力に基づいて、前記警告プログラムに従って、表示装置１７上に、「ＬＯＷ  ＢＡＴＴＥＲＹ」という表示が行われるように制御する。
【００５３】
他方、電圧検出回路２８は、電圧値Ｖｃが、第２の閾値Ｖｔｈを下回っている、すなわち、ＣＰＵ１４等に供給される電力の電位が、ＣＰＵ１４等を駆動させるための充分な電位でないと判別すると、第１及び第２のスイッチ３１，３６に対してオン信号を出力する。また、第３のスイッチ４１に対してオフ信号を出力する。
【００５４】
さらに、電圧検出回路２８は、電圧値Ｖｃが、第２の閾値Ｖｔｈを下回っていると判別すると、ＣＰＵ１４に対して第２の電圧低下信号を出力する。この結果、ＣＰＵ１４は、第２の電圧低下信号の入力に基づいて、前記警告プログラムに従って、表示装置１７を非点灯とさせるように駆動させる。
【００５５】
なお、本実施形態においては、前記第１〜第３の配線３０，３４，３８、第１〜第３のスイッチ３１，３６，４１、昇圧回路２５、安定化電源回路２７、電圧検出回路２８によって、電子回路が構成されている。
【００５６】
次に、以上のように構成された電子機器１１の作用について説明する。
まず、電子機器１１において、受信手段や撮像手段等を介して、新たな画像データが取得されると、ＣＰＵ１４は、ＲＯＭ１５に記憶されているデータ更新プログラムに従って、メモリ１６に、取得した画像データを追加したり、記憶されている画像データを新たな画像データに更新したりする。
【００５７】
また、電子機器１１において、入力手段等を介して、画像データの表示要求信号が入力されると、ＣＰＵ１４は、前記画像データ表示プログラムに従って、メモリ１６に記憶されている画像データに基づいて、表示装置１７上に写真や絵といった画像を表示する。
【００５８】
そして、ＣＰＵ１４が、以上のデータ更新プログラムや画像データ表示プログラムに従って動作している間、電子機器１１では、前記電圧検出回路２８において、第１の配線３０における前記電圧値Ｖｃが、所定時間毎に検出される。検出された電圧値Ｖｃは、電圧検出回路２８において、第１の閾値Ｖｂ及び第２の閾値Ｖｔｈと比較される。
【００５９】
そして、例えば、図２に示すように、時刻Ｔ０までの間、順調に作動していた主電源１２において、時刻Ｔ０において、主電源１２の電池残量不足等が生じた場合には、電圧値Ｖｃは、実線Ａで示すように、時刻Ｔ０以降、単調に減少し始める。そして、時刻Ｔ１において、電圧値Ｖｃは、第１の閾値Ｖｂに到達する。
【００６０】
すると、時刻Ｔ０から時刻Ｔ１までの間においては、電圧検出回路２８において、電圧値Ｖｃが、第１の閾値Ｖｂを上回っていると判別され、電圧検出回路２８から、第１及び第２のスイッチ３１，３６に対してオン信号が出力されるとともに、第３のスイッチ４１に対してオフ信号が出力される。
【００６１】
また、この時刻Ｔ０から時刻Ｔ１までの間においては、電圧検出回路２８からＣＰＵ１４に対しては、電圧非低下信号が出力され、ＣＰＵ１４は、電圧非低下信号の入力に基づいて、警告プログラムに従って、表示装置１７上に「ＬＯＷ  ＢＡＴＴＥＲＹ」という表示が非表示となるように制御する。
【００６２】
そして、時刻Ｔ１になり、電圧値Ｖｃが、第１の閾値Ｖｂに到達すると、電圧検出回路２８において、電圧値Ｖｃが第１の閾値Ｖｂ以下であり、かつ、第２の閾値Ｖｔｈ以上であると判別される。その結果、電圧検出回路２８から、第１及び第２のスイッチ３１，３６に対してオフ信号が出力されるとともに、第３のスイッチ４１に対してオン信号が出力される。この結果、主電源１２からＣＰＵ１４等やコンデンサ１８への電力供給が遮断され、コンデンサ１８から放電が開始される。
【００６３】
そして、コンデンサ１８の充電電圧は昇圧回路２５にて第１の閾値Ｖｂと等しい電圧まで昇圧される。安定化電源回路２７はその昇圧した電圧を平滑化して第１の配線３０へと供給する。このとき、第１の配線３０における電圧値Ｖｃは、昇圧回路２５による昇圧及び、安定化電源回路２７による平滑化により、第１の閾値Ｖｂと等しい値とされる。従って、ＣＰＵ１４等には、第１の閾値Ｖｂと等しい値を有する電圧値Ｖｃで電力が供給される。
【００６４】
この結果、例えば、時刻Ｔ１以前に、ＣＰＵ１４が前記データ更新プログラム等に従う動作を開始し、時刻Ｔ１において、その動作が終了していなかったとしても、時刻Ｔ１以降も、コンデンサ１８からの供給電力により、ＣＰＵ１４は、引き続き各プログラムに従う動作を行うことができる。従って、主電源１２の遮断によるメモリ１６におけるデータの破壊等を防ぐことができる。
【００６５】
また、時刻Ｔ１になって、電圧値Ｖｃが第１の閾値Ｖｂに到達したときには、電圧検出回路２８からＣＰＵ１４に対して、第１の電圧低下信号が出力される。この結果、ＣＰＵ１４は、第１の電圧低下信号の入力に基づいて、前記警告プログラムに従って、表示装置１７上に、「ＬＯＷ  ＢＡＴＴＥＲＹ」という表示を行う。
【００６６】
従って、時刻Ｔ１になると、表示装置１７上には、「ＬＯＷ  ＢＡＴＴＥＲＹ」という表示が表示される。その結果、電子機器１１を使用するユーザーに対して、電子機器１１の主電源１２において、何らかの問題が発生して、しばらくすると主電源１２からの電力供給が遮断される旨を通知することができる。従って、ユーザーに対して、これ以上、メモリ１６の画像データの追加や更新といった作業を行わせないように、警告を行うことができる。
【００６７】
そして、時刻Ｔ１以降しばらくの間は、コンデンサ１８からの充電電圧によって、電圧値Ｖｃの値は、第１の閾値Ｖｂと等しい状態に維持される。また、表示装置１７上には、「ＬＯＷ  ＢＡＴＴＥＲＹ」という表示が継続的に行われる。
【００６８】
そして、ＣＰＵ１４等に対して電力供給が行われることにより、コンデンサ１８の電荷の減少が進行すると、コンデンサ１８の電荷が、電圧値Ｖｃの値を、第１の閾値Ｖｂと等しい値とすることができなくなるまで減少する。すると、電圧値Ｖｃの値が減少し始めるようになる。
【００６９】
そして、時刻Ｔ３において、電圧値Ｖｃが第２の閾値Ｖｔｈまで低下すると、電圧検出回路２８において、電圧値Ｖｃが第２の閾値Ｖｔｈを下回っていると判別される。すると、電圧検出回路２８は、第１及び第２のスイッチ３１，３６に対してオン信号を出力するとともに、第３のスイッチ４１に対してオフ信号を出力する。この結果、主電源１２とＣＰＵ１４等が電気的に接続された状態となるとともに、主電源１２とコンデンサ１８とが電気的に接続された状態となる。さらに、コンデンサ１８と第１の配線３０との間が遮断される。
【００７０】
また、電圧値Ｖｃが第２の閾値Ｖｔｈを下回っていると判別されると、電圧検出回路２８からＣＰＵ１４に対して、第２の電圧低下信号が出力される。この結果、ＣＰＵ１４は、第２の電圧低下信号の入力に基づき、前記警告プログラムに従って、表示装置１７を非点灯とさせる。
【００７１】
従って、時刻Ｔ３以降においては、表示装置１７上には、画像データに基づく写真や絵といった画像、また、「ＬＯＷ  ＢＡＴＴＥＲＹ」という表示のいずれもが表示されない状態とされる。
【００７２】
なお、例えば、ユーザーによって、時刻Ｔ１から時刻Ｔ３までの間に、主電源１２の電池の取り付けが行われるなどして、主電源１２における電力供給の遮断が解決されている場合には、時刻Ｔ３以降、主電源１２からＣＰＵ１４等、また、主電源１２からコンデンサ１８への電力供給が再開される。そして、この結果、第１の配線３０における電圧値Ｖｃが、第１の閾値Ｖｂを上回るようになり、第１〜第３のスイッチ３１，３６，４１のオンオフ状態が維持される。そして、ＣＰＵ１４等に対して、主電源１２から電力供給が行われる状態が継続される。
【００７３】
また、主電源１２における電力供給の遮断の解決により、電圧検出回路２８から、ＣＰＵ１４に対して、前記電圧非低下信号が出力される。この結果、表示装置１７上には、「ＬＯＷ  ＢＡＴＴＥＲＹ」という表示が非表示となるとともに、画像データ表示プログラムに従った写真や絵といった画像の表示が行われる。そして、ユーザーは、表示装置１７上に表示された写真や絵といった画像により、主電源１２における電力供給が順調であることを確認する。
【００７４】
なお、本実施形態の電子機器１１には、昇圧回路２５が備えられているため、時刻Ｔ１以降しばらくの間は、電圧値Ｖｃの値は、第１の閾値Ｖｂと等しい値に維持される。しかし、例えば、昇圧回路２５が備えられていなかった場合には、上記の時刻Ｔ１以降においては、図２に示す二点鎖線Ｂのように、電圧値Ｖｃが単調に減少することとなる。従って、このような場合には、電圧値Ｖｃの値が、第２の閾値Ｖｔｈ以下となる時刻Ｔ２は、前記時刻Ｔ３に比較して早い時刻となる。
【００７５】
すなわち、本実施形態の電子機器１１は、この昇圧回路２５を備えていない電子機器に比較して、コンデンサ１８からの放電によって、ＣＰＵ１４等が駆動される時間が長くすることができる。しかも、ＣＰＵ１４等の駆動時間を長くするために、コンデンサ１８の容量を大きくするようなことをしていないので、省スペースとなり、電子機器１１の大型化を防ぐことができるようになっている。
【００７６】
上記第１の実施形態によれば、以下のような効果を得ることができる。
（１）上記第１の実施形態では、電圧検出回路２８において検出される電圧値Ｖｃに基づいて、第１〜第３のスイッチ３１，３６，４１を個別に接続及び非接続状態となるようにした。この結果、主電源１２からＣＰＵ１４等、主電源１２からコンデンサ１８、コンデンサ１８からＣＰＵ１４等へのそれぞれの電力の供給及び非供給を、電圧値Ｖｃに基づいて変化させることができる。
【００７７】
従って、電圧検出回路２８において検出される電圧値Ｖｃが低く、主電源１２からの電力供給が遮断されるおそれのあるような場合には、コンデンサ１８に蓄積された電荷によって、ＣＰＵ１４等へ電力供給を行うことができるようになる。この結果、主電源１２に何らかの問題が生じて、主電源１２から供給される電力が思いがけず遮断されても、しばらくの間、ＣＰＵ１４等に電力供給を行うことができる。そして、電力供給の突然の遮断により、メモリ１６において更新中であった画像データ等に損傷が生じることなどを防ぐことができる。
【００７８】
（２）上記第１の実施形態では、コンデンサ１８からＣＰＵ１４等への出力電圧は、昇圧回路２５によって昇圧されるようにした。従って、昇圧回路２５によって昇圧されない場合に比較して、コンデンサ１８からＣＰＵ１４等へと、長時間高い電圧でＣＰＵ１４等へと電力を供給することができる。この結果、主電源１２からの電力供給が遮断されることによりコンデンサ１８からＣＰＵ１４等へ電力供給を行うときには、ＣＰＵ１４等を、昇圧回路２５がない場合に比較して長く駆動させることができる。また、ＣＰＵ１４等の駆動時間を延長させるために、コンデンサ１８の容量を増大させる必要がないので、配置スペースの増大を防ぐことができる。
【００７９】
（３）上記第１の実施形態では、第１の閾値Ｖｂは、主電源１２の出力電圧が遮断するおそれがあるか否かを判別できるような値とするようにした。そして、電圧検出回路２８において検出される電圧値Ｖｃが、第１の閾値Ｖｂを上回るときには、主電源１２からＣＰＵ１４等、また、主電源１２からコンデンサ１８へと電力が供給されるようにした。また、電圧検出回路２８において検出される電圧値Ｖｃが第１の閾値Ｖｂ以下である場合には、主電源１２からＣＰＵ１４等、主電源１２からコンデンサ１８への電力供給が遮断され、コンデンサ１８からＣＰＵ１４等へ電力が供給されるようにした。
【００８０】
従って、主電源１２において電力供給の遮断のおそれがない場合には、主電源１２からＣＰＵ１４等へと電力が供給され、主電源１２において電力供給の遮断のおそれがある場合には、コンデンサ１８からＣＰＵ１４等に対してしばらくの間電力供給が行われるようになる。この結果、ＣＰＵ１４等への出力電圧の低下をしばらくの期間、確実に防ぐことができる。
【００８１】
（４）上記第１の実施形態では、電圧値Ｖｃが第１の閾値Ｖｂ以下となると、電圧検出回路２８からＣＰＵ１４に対して第１の電圧低下信号が出力されるようにした。そして、ＣＰＵ１４は、第１の電圧低下信号に基づいて、メモリ１６の警告表示用画像データに基づく「ＬＯＷ  ＢＡＴＴＥＲＹ」という警告表示画像を前記表示装置１７に表示するようにした。従って、電子機器１１において、電圧値Ｖｃが第１の閾値Ｖｂ以下となり、コンデンサ１８からＣＰＵ１４等に対して放電が行われると、表示装置１７上に、警告表示画像が表示される。
【００８２】
この結果、電子機器１１を使用するユーザーは、表示装置１７を見ることによって、コンデンサ１８からＣＰＵ１４等に対して放電が行われているか否かを理解することができる。そして、主電源１２からの電源供給に遮断が生じているか否かを理解することができる。
【００８３】
（第２の実施形態）
次に、上記第１の実施形態で説明した電子機器１１の適用について説明する。第１の実施形態における電子機器１１は、携帯電話機、モバイル型コンピュータ、液晶テレビ、電子手帳、電卓、ワードプロセッサ、テレビ電話、タッチパネルを備えた装置、カーナビゲーション装置、表示機能付きの時計、デジタルカメラ等の各種表示機能付き電子機器に具体化できる。
【００８４】
図３は、携帯電話機の構成を示す斜視図を示す。図３において、携帯電話機５１は、第１の実施形態における主電源１２を、バッテリ５２として本体に対して取り外し可能に備えるものである。また、携帯電話機５１は、第１の実施形態における表示装置１７を、液晶表示装置５４として備える。
【００８５】
この場合においても、携帯電話機５１は前記第１実施形態と同様な効果を発揮する。すなわち、バッテリ５２の残量不足などにより、バッテリ５２からＣＰＵや液晶表示装置５４等へと供給される電力が遮断されても、コンデンサからの放電によって、ＣＰＵや液晶表示装置５４等が駆動される。この結果、ＣＰＵにおいて、メモリにおける画像データ等を更新しているときに、バッテリ５２からの電力が遮断されても、メモリに記憶されているデータが破壊されるようなことがない。また、液晶表示装置５４における表示も、コンデンサに蓄積された電荷によって、継続させることができる。
【００８６】
しかも、昇圧回路によって、コンデンサからＣＰＵ等へと出力される電圧が昇圧されるので、コンデンサによってＣＰＵや液晶表示装置５４等が駆動される時間を長くすることができる。そして、ＣＰＵや液晶表示装置５４等の駆動時間を長くするために、コンデンサの容量を大きくするようなことをする必要がないので、省スペースとなり、携帯電話機５１の大きさをコンパクトにすることができる。
【００８７】
なお、上記第１及び第２の実施形態は以下のように変更してもよい。
・上記第１及び第２の実施形態では、第１の閾値Ｖｂは、電圧値Ｖｃがこの第１の閾値Ｖｂの値以下となったときに、主電源１２において、主電源１２からの電力供給が遮断されるような問題が発生していると判別するための値となるようにした。これを、その他の値となるようにしてもよい。
【００８８】
・上記第１及び第２の実施形態では、第２の閾値Ｖｔｈは、電圧値Ｖｃがこの第２の閾値Ｖｔｈの値を下回ったときに、第１の配線３０を介してＣＰＵ１４等に供給される電力の電位が、ＣＰＵ１４等を駆動させるために充分な電位であるか否かを判別するための値であるようにした。これを、その他の値となるようにしてもよい。
【００８９】
・上記第１及び第２の実施形態では、被印加デバイスとして、ＣＰＵ１４、メモリ１６、表示装置１７に具体化した。これを、主電源１２から電源供給を受けるものであれば、他の被印加デバイスに具体化してもよい。
【００９０】
・上記第１及び第２の実施形態においては、メモリ１６に記憶されている警告表示用画像データは、表示装置１７に「ＬＯＷ  ＢＡＴＴＥＲＹ」という警告表示画像を表示させるためのデータであるようにした。これを、ユーザーに対して、主電源１２からの電力供給に遮断のおそれがある旨を視覚的に表現できるものであれば、他の警告表示画像を表示させるためのデータであってもよい。
【００９１】
・上記第１及び第２の実施形態においては、電圧検出回路２８が、電圧値Ｖｃが第１の閾値Ｖｂ以下であるとともに前記第２の閾値Ｖｔｈ以上であると判別すると、ＣＰＵ１４に対して第１の電圧低下信号を出力するようにした。そして、ＣＰＵ１４は、第１の電圧低下信号の入力に基づいて、表示装置１７上に、「ＬＯＷ  ＢＡＴＴＥＲＹ」という表示が行われるようにした。
【００９２】
これを、電圧検出回路２８が、電圧値Ｖｃが第１の閾値Ｖｂ以下であるとともに第２の閾値Ｖｔｈ以上であると判別しても、表示装置１７上に、「ＬＯＷ  ＢＡＴＴＥＲＹ」という表示が行われないようにしてもよい。
【００９３】
・上記第１及び第２の実施形態においては、第１〜第３のスイッチ３１，３６，４１に対してオンオフ信号を出力する信号出力手段は、電圧検出回路２８に備えられるようにした。これを、電圧検出回路２８は、電圧値Ｖｃを検出するのみとするようにしてもよい。そして、このような場合には、電圧検出回路２８にて検出された電圧値Ｖｃを入力して、第１〜第３のスイッチ３１，３６，４１に対して個別にオンオフ信号を出力する信号出力手段を電圧検出回路２８と別に設けるようにする。また、信号出力手段をＣＰＵ１４に備えるようにしてもよい。
【００９４】
・上記第１及び第２の実施形態においては、電圧検出回路２８は、第１〜第３のスイッチ３１，３６，４１に対して個別にオンオフ信号を出力するようにした。これを、図４に示すように、電圧検出回路２８は、タイミング調整回路５７を介して、第１〜第３のスイッチ３１，３６，４１に対してオンオフ信号を出力するようにしてもよい。
【００９５】
なお、タイミング調整回路５７は、電圧検出回路２８が電圧値Ｖｃの低下を検出し、電力供給を主電源１２からコンデンサ１８に切り換えるときに、まず、第１及び第２のスイッチ３１，３６のみにオフ信号を出力し、その後、第３のスイッチ４１にオン信号を出力する回路であるものとする。従って、電圧検出回路２８が、電圧値Ｖｃが第１の閾値Ｖｂ以下であるとともに前記第２の閾値Ｖｔｈ以上であると判別し、タイミング調整回路５７に対してオンオフ信号を出力すると、タイミング調整回路５７は、まず、第１及び第２のスイッチ３１，３６に対してオフ信号を出力する。そして、所定時間経過後に第３のスイッチ４１に対してオン信号を出力する。
【００９６】
このようにすれば、コンデンサ１８からＣＰＵ１４等への電力供給は、必ず、主電源１２とＣＰＵ１４等、及び、主電源１２とコンデンサ１８との間の接続が遮断されてから行われるようになる。従って、例えば、第１及び第２のスイッチ３１，３６が接続状態となっている間に第３のスイッチ４１が接続状態となることにより、コンデンサ１８から主電源１２へと逆流電流が生じたり、コンデンサ１８からＣＰＵ１４等に対して昇圧回路２５を介さずに直接電力が供給されたりすることを防ぐことができる。
【図面の簡単な説明】
【図１】第１の実施形態における電子機器の電気的構成図。
【図２】同じく、電圧値Ｖｃと時刻との関係を示すグラフ。
【図３】第２の実施形態における携帯電話機の斜視図。
【図４】別例における電子機器の電気的構成図。
【符号の説明】
Ｖｂ…閾値としての第１の閾値、Ｖｃ…電圧値、１１…電子機器、１２…主電源、１４…制御装置としてのＣＰＵ、１６…記憶装置としてのメモリ、１７…表示装置、１８…電荷蓄積手段としてのコンデンサ、２５…昇圧回路、２８…電圧検出手段及び信号出力手段としての電圧検出回路、３０…第１の配線、３１…第１のスイッチ、３４…第２の配線、３６…第２のスイッチ、３８…第３の配線、４１…第３のスイッチ、５７…タイミング調整回路。
【図１】
2005011186.tif 000003
【図２】
2005011186.tif 000004
【図３】
2005011186.tif 000005
【図４】
2005011186.tif 000006